(57)【要約】【課題】ズボンやマフラーなどの長尺の衣料品の掛け外しが容易であり、掛けられたズボンなどの横ずれや滑り落ちが生じ難いハンガーを提供する。【解決手段】ハンガー１００は、ストック用バー材などの所定の支持体１に引っ掛け可能な鉤状のフック部１０と、フック部１０の下部１０ｂから左右に拡がるように設けられた弾性変形可能な一対の肩部１１，１２と、肩部１１，１２の下部１１ａ，１２ａ同士を連接する弾性変形可能な横杆１３と、一方の肩部１２の下部１２ａに基端部１４ｂが連接され、先端部１４ａが開放された状態で横杆１３の下方に横杆１３と並列するように配置された弾性変形可能な受け杆１４と、他方の肩部１１の下部１１ａと受け杆１４の先端部１４ａとを着脱可能に連結する連結手段１７と、を備え、肩部１１，１２の曲げ弾性率が、横杆１３の曲げ弾性率及び受け杆１４の曲げ弾性率より小である。【選択図】図１
2019000623.tif 000002
【特許請求の範囲】
【請求項１】
所定の支持体に引っ掛け可能なフック部と、
前記フック部の下部から拡がるように設けられた弾性変形可能な一対の肩部と、
前記肩部の下部同士を連接する弾性変形可能な横杆と、
一方の前記肩部の下部に基端部が連接され、先端部が開放された状態で前記横杆の下方に前記横杆と並列するように配置された弾性変形可能な受け杆と、
他方の前記肩部の下部と前記受け杆の先端部とを着脱可能に連結する連結手段と、
を備え、
前記肩部の曲げ弾性率が、前記横杆の曲げ弾性率及び前記受け杆の曲げ弾性率より小であるハンガー。
【請求項２】
前記横杆の少なくとも一部に、前記受け杆に向かって凸状に撓んだ形状を有する少なくとも一つの垂下部を設けた請求項１記載のハンガー。
【請求項３】
前記肩部の少なくとも一部に、
隙間を隔てて上下に配置された複数の横架部と、
前記横架部の隙間の一部に設けられた連接部と、を有する請求項１または２記載のハンガー。
【請求項４】
前記連結手段が、
前記横杆の他方の端部（若しくは前記受け杆の先端部）に設けられた枠状部と、
前記受け杆の先端部（若しくは前記横杆の他方の端部）に、前記枠状部の内側に嵌入離脱可能な状態で設けられた凸状部と、を有する請求項１〜３の何れかに記載のハンガー。
【請求項５】
前記受け杆の上面側の複数個所に、前記受け杆の下面側に向かって凹んだ切欠き部を設けた請求項１〜４の何れかに記載のハンガー。
【請求項６】
前記横杆の少なくとも一部に、隙間を隔てて上下に配置された複数の横架部を有する請求項１〜５の何れかの項に記載のハンガー。
【発明の詳細な説明】
【技術分野】
【０００１】
本発明は、上着とズボンなどを同時に掛けることができる衣料用のハンガーに関する。
【背景技術】
【０００２】
上着とズボンなどを同時に掛けることができるハンガーについては、従来、様々な形状、機能を有するものが提案されているが、本発明に関連するものとして、例えば、特許文献１に記載された「本体のバネを滑り止めに利用したズボンハンガー」がある。
【０００３】
前記ズボンハンガーは、特許文献１中の［第１図］に記載されているように、ズボンハンガー体Ａのバー２にズボンを掛け、引っ掛け４，５によりバー２をロックすると、ズボンは上下２本のバー１，２の間に挟まれ、また、バー１は下方向に撓んでいるので、ズボンのズレ落ちを防ぐことができる。
【先行技術文献】
【特許文献】
【０００４】
【特許文献１】実開平１−９７７８１号公報
【発明の概要】
【発明が解決しようとする課題】
【０００５】
特許文献１に記載された「ズボンハンガー」の場合、重量の重いズボンを掛けたり、ズボンを掛けた状態で振動を受けたり、あるいは、長期間に亘ってズボンを掛け続けたりすると、下方のバー２の撓み量が大きくなり、上方のバー１の下方向の撓みではカバーできず、バー１，２の間の隙間が大きくなり、ズボンが滑り落ちることがある。
【０００６】
そこで、本発明が解決しようとする課題は、ズボンやマフラーなどの長尺の衣料品の掛け外しが容易であり、掛けられたズボンなどの横ずれや滑り落ちが生じ難いハンガーを提供することにある。
【課題を解決するための手段】
【０００７】
本発明のハンガーは、
所定の支持体に引っ掛け可能なフック部と、
前記フック部の下部から拡がるように設けられた弾性変形可能な一対の肩部と、
前記肩部の下部同士を連接する弾性変形可能な横杆と、
一方の前記肩部の下部に基端部が連接され、先端部が開放された状態で前記横杆の下方に前記横杆と並列するように配置された弾性変形可能な受け杆と、
他方の前記肩部の下部と前記受け杆の先端部とを着脱可能に連結する連結手段と、
を備え、
前記肩部の曲げ弾性率が、前記横杆の曲げ弾性率及び前記受け杆の曲げ弾性率より小であることを特徴とする。
【０００８】
ここで、肩部、横杆並びに受け杆の曲げ弾性率とは、ハンガーにズボンや衣服を掛けることにより、肩部、横杆並びに受け杆に外力が加わり、肩部、横杆並びに受け杆が重力方向に弾性変形するときの弾性率をいう。
【０００９】
前記ハンガーにおいては、前記横杆の少なくとも一部に、前記受け杆に向かって凸状に撓んだ形状を有する少なくとも一つの垂下部を設けることが望ましい。
【００１０】
前記ハンガーにおいては、前記肩部の少なくとも一部に、
隙間を隔てて上下に配置された複数の横架部と、
前記横架部の隙間の一部に設けられた連接部と、を設けることができる。
【００１１】
前記ハンガーにおいては、前記連結手段が、
前記横杆の他方の端部（若しくは前記受け杆の開放端部）に設けられた枠状部と、
前記受け杆の開放端部（若しくは前記横杆の他方の端部）に前記枠状部の内側に嵌入離脱可能な状態で設けられた凸状部と、を有するものとすることができる。
【００１２】
前記ハンガーにおいては、前記受け杆の上面側の複数個所に、前記受け杆の下面側に向かって凹んだ切欠き部を設けることができる。
【００１３】
前記ハンガーにおいては、前記横杆の横断面形状を、倒立Ｔ字状若しくは平板状とすることができる。
【００１４】
前記ハンガーにおいては、前記受け杆の横断面形状を、Ｉ字状とすることができる。
【００１５】
前記ハンガーにおいては、前記横杆の少なくとも一部に、隙間を隔てて上下に配置された複数の横架部を設けることができる。
【発明の効果】
【００１６】
本発明により、ズボンやマフラーなどの長尺の衣料品の掛け外しが容易であり、掛けられたズボンなどの横ずれや滑り落ちが生じ難いハンガーを提供することができる。
【図面の簡単な説明】
【００１７】
【図１】本発明の実施形態であるハンガーの受け杆開放状態における正面図である。
【図２】図１に示すハンガーの背面図である。
【図３】図１に示すハンガーを正面及び左側面方向から見た斜視図である。
【図４】図１に示すハンガーの受け杆閉止状態における正面図である。
【図５】図２中の矢線Ｂで示す部分の斜視図である。
【図６】図１中の矢線Ａで示す部分の斜視図である。
【図７】図４中の矢線Ｃで示す部分の斜視図である。
【図８】図７中のＤ−Ｄ線における断面を含む斜視図である。
【図９】図４中の矢線Ｃで示す部分を背面方向から見た斜視図である。
【図１０】図９中のＥ−Ｅ線における断面を含む斜視図である。
【図１１】図１に示すハンガーにズボンを掛けた状態を示す一部省略正面図である。
【図１２】本発明のその他の実施形態であるハンガーの受け杆開放状態における正面図である。
【図１３】本発明のその他の実施形態であるハンガーの受け杆開放状態における正面図である。
【図１４】図１３に示すハンガーの受け杆閉止状態における正面図である。
【図１５】図１３に示すハンガーの受け杆開放状態における背面図である。
【図１６】図１３に示すハンガーの受け杆閉止状態における背面図である。
【図１７】図１３中の矢線Ｊで示す部分の斜視図である。
【図１８】図１４中の矢線Ｋで示す部分の斜視図である。
【図１９】図１５中の矢線Ｌで示す部分の拡大図である。
【図２０】図１６中の矢線Ｍで示す部分の拡大図である。
【図２１】図１３に示すハンガーの使用状態を示す一部省略正面図である。
【図２２】図１３に示すハンガーの使用状態を示す一部省略正面図である。
【発明を実施するための形態】
【００１８】
以下、図１〜図２２に基づいて、本発明の実施形態であるハンガー１００，２００，３００について説明する。
【００１９】
図１〜図３に示すように、ハンガー１００は、フック部１０と、一対の肩部１１，１２と、横杆１３と、受け杆１４と、連結手段１７と、を備えている。フック部１０は、ストック用バー材などの所定の支持体１に引っ掛け可能な鉤状部１０ａを有している。一対の肩部１１，１２は、弾性変形可能な材料で形成され、フック部１０の下部１０ｂからそれぞれ左右に「ハ」の字状に拡がるように形成されている。横杆１３は肩部１１，１２と同様に、弾性変形可能な材料で形成され、肩部１１，１２の下部１１ａ，１２ａ同士を連接するように配置され、横杆１３の左右の端部１３ａ，１３ｂは、それぞれ肩部１１，１２と一体をなしている。
【００２０】
受け杆１４も肩部１１，１２及び横杆１３と同様に、弾性変形可能な材料で形成され、横杆１３の下方に横杆１３と並列するように配置されている。受け杆１４の右側の基端部１４ｂは、一方の肩部１２の下部１２ａに一体的に連接されている。受け杆１４の左側の先端部１４ａは、ハンガー１００を構成する他の部分と繋がることなく、開放された状態をなしている。受け杆１４は弾性変形可能な材料で形成され、基端部１４ｂを支点（中心）にして、受け杆１４全体が横杆１３に対して接近離隔可能である。また、肩部１１の下部１１ａと受け杆１４の先端部１４ａとを着脱可能に連結する連結手段１７が設けられている。
【００２１】
ハンガー１００においては、肩部１１，１２の曲げ弾性率が、横杆１３の曲げ弾性率及び受け杆１４の曲げ弾性率より小である。なお、肩部１１，１２、横杆１３並びに受け杆１４の曲げ弾性率とは、ハンガー１００にズボンや衣服を掛けることにより、肩部１１，１２、横杆１３並びに受け杆１４に重力方向の外力が加わり、肩部１１，１２、横杆１３並びに受け杆１４が重力方向に弾性変形するときの弾性率をいう。
【００２２】
前述したように、ハンガー１００においては、肩部１１，１２の曲げ弾性率が、横杆１３の曲げ弾性率及び受け杆１４の曲げ弾性率より小であるため、肩部１１，１２、横杆１３並びに受け杆１４に重力方向の外力が加わると、受け杆１４及び横杆１３よりも優先的に肩部１１，１２が下方へ撓むように弾性変形する。
【００２３】
図１〜図３に示すように、横杆１３は全体的に受け杆１４に向かって凸状に撓んだ形状をなし、横杆１３の中央部分に垂下部１３ｃが形成されている。図示していないが、横杆１３の横断面形状（横杆１３の長手方向と直交する平面における断面形状）は倒立Ｔ字状をなしており、受け杆１４の横断面形状（受け杆１４の長手方向と直交する平面における断面形状）はＩ字形状をなしている。
【００２４】
また、図３に示すように、横杆１３の中央部分を含む所定長さ領域（横杆１３の長手方向のサイズの約３０％〜４０％程度の長さ領域）には、ハンガー１００の正面側、背面側へそれぞれ突出した拡幅部１３ｅが設けられている。拡幅部１３ｅの下面は横杆１３の下面１３ｄと同一面をなしており、拡幅部１３ｅの幅は、横杆１３の他の部分（横杆１３の端部１３ａ，１３ｂ寄りの部分）の下面１３ｄの幅より大である。なお、前記「幅」とは、横杆１３の長手方向を、ハンガー１００の前後方向（正面背面方向）に横断する方向における寸法をいう。
【００２５】
肩部１１，１２は、それぞれ、隙間Ｇを隔てて上下に配置された複数の横架部１１ｘ，１１ｙ並びに１２ｘ，１２ｙと、隙間Ｇにウェブ状に設けられた連接部１０ｚ，１１ｚ，１２ｚ，と、を有する。連接部１０ｚはフック部１０の下部１０ｂの直下に設けられ、正面視形状が倒立富士山形状をなしている。連接部１１ｚ，１２ｚは、それぞれ、左右の隙間Ｇの長手方向の中央部分よりも若干下部１１ａ，１２ａ寄りの部分に設けられている。連接部１０ｚ寄りの隙間Ｇ，Ｇの正面視形状は、それぞれ、連接部１０ｚに向かって拡がったヘラ形状をなしている。下部１１ａ，１２ａ寄りの隙間Ｇ，Ｇの正面視形状はそれぞれスリット形状をなしている。
【００２６】
受け杆１４の上面側の複数個所（先端部１４ａと基端部１４ｂの２ヶ所）に、受け杆１４の下面側に向かって半円形状に凹んだ切欠き部１４ｃ，１４ｄが設けられている。受け杆１４の左側の切欠き部１４ｃは開口部１４ｅ（図６参照）より基端部１４ｂ寄りの部分に設けられている。受け杆１４の右側の切欠き部１４ｄは、正面視形状がＪ字状をなす基端部１４ｂに設けられている。切欠き部１４ｃ，１４ｄは、それぞれ深まるにつれて（受け杆１４の上面から下面に向かうにつれて）互いに接近する方向に傾斜するように形成されている。
【００２７】
図１，図２，図５〜図１０に示すように、連結手段１７は、横杆１３の左側の端部１３ａに設けられた枠状部１５と、受け杆１４の先端部１４ａに、枠状部１５の内側に嵌入離脱可能な状態で設けられた凸状部１６と、を有している。
【００２８】
図５に示すように、枠状部１５は正面視形状が四角形をなし、肩部１１の下部１１ａ並びに横杆１３の端部１３ａの下面からそれぞれ垂下する左右一対の側縁部１５ａ，１５ｂと、側縁部１５ａ，１５ｂの下端部を連接する下縁部１５ｃと、を備えている。側縁部１５ａ，１５ｂは、肩部１１の下部１１ａ並びに横杆１３の端部１３ａの下面の背面寄りの部分に設けられ、下縁部１５ｃは、側縁部１５ａ，１５ｂよりも正面寄りの部分に設けられている。下縁部１５ｃの背面には、下方が開放した凹状部１５ｄが設けられている。図３に示すように、枠状部１５の左側面視形状はＬ字形状をなしている。
【００２９】
図６に示すように、受け杆１４の先端部１４ａ近くに四角形状の開口部１４ｅが設けられ、開口部１４ｅを形成する上縁部１４ｆが受け杆１４の正面寄りの部分に設けられている。上縁部１４ｆの背面から開口部１４ｅ内に向かって垂下するように凸状部１６が設けられている。凸状部１６の正面１６ａの下縁部１６ｂ寄りの部分には、正面１６ａより更に正面側へ突出した突起部１６ｃが設けられている。
【００３０】
図５に示す枠状部１５と、図６に示す凸状部１６と、を備えた連結手段１７（図１参照）は、横杆１３の枠状部１５の内側に凸状部１６を嵌入させることによって互いに連結され、ハンガー１００は図４に示すように、横杆１３と受け杆１４とが最接近した状態に保持される。このとき、横杆１３の垂下部１３ｃの下面１３ｄの少なくとも一部が受け杆１４の上面１４ｇに当接した状態を保つようにすることもできる。
【００３１】
具体的には、図１，図２中に示す矢線Ｐ方向の外力を加えて受け杆１４の先端部１４ａを横杆１３の端部１３ａ（肩部１１の下部１１ａ）に近づけ、凸状部１６を横杆１３の枠状部１５の正面側から背面側に向かって貫通させた後、外力を解除すると、受け杆１４の基端部１４ｂの弾性復元力により、凸状部１６が、枠状部１５の下縁部１５ｃの背面１５ｅに回り込むように移動し、枠状部１５の内側に凸状部１６が嵌入される。
【００３２】
前述の操作により、枠状部１５の内側に凸状部１６を嵌入させると、図７〜図１０に示すように、枠状部１５の下縁部１５ｃの背面１５ｅと、凸状部１６の正面１６ａとが互いに当接するとともに、突起部１６ｃが凹状部１５ｄ内へ嵌り込んでロックされる。これにより、ハンガー１００は図４に示す状態（閉止状態）に保持される。
【００３３】
一方、前述と逆の操作を行えば、横杆１３の枠状部１５の内側から凸状部１６が離脱して、連結手段１７による連結が解除され、ハンガー１００は、図１に示すように、横杆１３の端部１３ａ（肩部１１の下部１１ａ）から受け杆１４の先端部１４ａが離れた状態（開放状態）となる。なお、連結手段１７については、図５に示す枠状部１５と、図６に示す突状部１６と、を上下逆に配設することもできる。即ち、受け杆１４の先端部１４ａに枠状部１５を設け、横杆１３の左側の端部１３ａに、枠状部１５の内側に嵌入離脱可能な凸状部１６を設けることもできる。
【００３４】
次に、図１〜図３，図１１に基づいて、ハンガー１００の使い方並びに機能などについて説明する。図１１に示すように、ハンガー１００にズボンＴを掛ける場合、図１〜図３に示すように、ハンガー１００を開放状態（枠状部１５と凸状部１６とが離れた状態）とする。
【００３５】
次に、二つ折りにしたズボンＴの折り曲げ部Ｕの一方の端部Ｕ１の内側に受け杆１４の先端部１４ａを差し込み、折り曲げ部Ｕ全体が基端部１４ｂに近づくように移動させ、折り曲げ部Ｕの他方の端部Ｕ２から先端部１４ａを露出させると、ズボンＴは受け杆１４に掛けられた状態となる。
【００３６】
この後、受け杆１４の先端部１４ａと、横杆１３の端部１３ａ（及び肩部１１の下部１１ａ）と、を連結手段１７で連結すると、ズボンＴの折り曲げ部Ｕが横杆１３と受け杆１４との間に挟持される。このとき、下方に撓んだ形状の垂下部１３ｃ及び拡幅部１３ｅを有する横杆１３の弾性復元力により、ズボンＴの折り曲げ部Ｕは受け杆１４に向かって押圧された状態で挟持されるので、ズボンＴが横ずれしたり、滑り落ちたりし難くなり、ズボンＴを安定保持することができる。
【００３７】
また、図１１に示すように、ハンガー１００のフック部１０を所定の支持体１に引っ掛けることにより、ズボンＴを掛けたハンガー１００を支持体１に吊り下げると、ズボンＴの重量により、受け杆１４、横杆１３及び肩部１１，１２の下部１１ａ，１２ａに重力方向の外力が加わるが、肩部１１，１２の曲げ弾性率が、横杆１３の曲げ弾性率及び受け杆１４の曲げ弾性率より小であるため、受け杆１４及び横杆１３よりも優先的に肩部１１，１２が下方（矢線Ｑ方向）へ撓むように弾性変形する。
【００３８】
即ち、ズボンＴを掛けたハンガー１００を支持体１に吊り下げたとき、横杆１３と受け杆１４とは、互いの位置関係が変化することなく、ズボンＴの折り曲げ部Ｕを挟持した状態を保ちながら下方へ移動するので、ズボンＴを安定保持することができる。
【００３９】
従って、図１１に示すように、ハンガー１００にズボンＴを掛けた状態で振動を受けたり、あるいは、長期間に亘ってズボンを掛け続けたりしても、ズボンＴの横ずれや滑り落ちが生じ難い。また、連結手段１７を構成する枠状部１５と凸状部１６とを係合、離脱するだけで、受け杆１４の先端部１４ａを閉じたり、開いたりすることができるので、ズボンＴやあるいはマフラーなどの長尺の衣料品の掛け外しが容易である。
【００４０】
また、図１１に示すように、受け杆１４の先端部１４ａ付近及び基端部１４ｂ付近には、それぞれ切欠き部１４ｃ，１４ｄが設けられているので、スカートなどの女性用衣類の内側に設けられた紐Ｖ，Ｖを左右の切欠き部１４ｃ，１４ｄに掛けてスカートなどを受け杆１４に吊り下げ保持することもできる。
【００４１】
次に、図１２に基づいて、本発明のその他の実施形態であるハンガー２００について説明する。なお、ハンガー２００の構成部分において、図１に示すハンガー１００の構成部分と共通する部分については、図１中の符号と同符号を付して説明を省略する。
【００４２】
図１２に示すハンガー２００においては、横杆２３の横断面形状（横杆２３の長手方向と直交する平面における断面形状）は平板状をなしている。このような形状としたことにより、横杆２３の曲げ弾性率がハンガー１００の横杆１３（図１１）より小さくなるので、ズボンなどを受け杆１４に掛けたとき肩部１１，１２が下方（矢線Ｑ方向）に、より大きく撓むように弾性変形可能である。従って、比較的軽量なズボンやその他の軽い生地を掛けた場合でも安定した保持力を維持することができる。
【００４３】
ハンガー２００において、横杆２３以外の部分は図１に示すハンガー１００と同様であるため、ハンガー１００と同様の作用効果を得ることができる。
【００４４】
次に、図１３〜図２２に基づいて、本発明のその他の実施形態であるハンガー３００について説明する。なお、ハンガー３００の構成部分において、図１に示すハンガー１００の構成部分と共通する部分については、図１中の符号と同符号を付して説明を省略する。
【００４５】
図１３〜図１６に示すように、ハンガー３００においては、フック部１０と、一対の肩部３１，３２と、横杆３３と、受け杆３４と、連結手段３７と、を備えている。フック部１０は、ストック用バー材などの所定の支持体１に引っ掛け可能な鉤状部１０ａ有している。一対の肩部３１，３２は、弾性変形可能な材料で形成され、フック部１０の下部１０ｂからそれぞれ左右に「ハ」の字状に拡がるように形成されている。
【００４６】
フック部１０の下部１０ｂから左右に肩部３１，３２が拡がる部分の肩部３１，３２の下面にはリブ３０が設けられている。肩部３１，３２の下部３１ａ，３２ａ寄りの部分には、それぞれ、隙間Ｇ１を隔てて上下に配置された複数の横架部３１ｘ，３１ｙ並びに隙間Ｇ１を隔てて上下に配置された複数の３２ｘ，３２ｙを有する。
【００４７】
横杆３３は肩部３１，３２と同様、弾性変形可能な材料で形成され、横杆３３の両端部分には、それぞれ、隙間Ｇ２を隔てて上下に配置された複数の横架部３３ａ，３３ｂ並びに隙間Ｇ２を隔てて上下に配置された複数の横架部３３ｃ，３３ｄを有する。横杆３３の横架部３３ａ，３３ｃの端部が、それぞれ、肩部３１，３２の下方の横架部３１ｙ，３２ｙと一体化され、横杆３３の横架部３３ｂ，３３ｄが、それぞれ、肩部３１，３２の下部３１ａ，３２ａと一体化されている。
【００４８】
図１３〜図１６に示すように、横杆３３は全体的に受け杆３４に向かって凸状に撓んだ形状をなし、横杆３３の中央部３３ｇを挟んで左右対称をなす部分に一対の垂下部３３ｆ，３３ｆが形成されている。この結果、横架部３３ａ，３３ｂ、中央部３３ｇ並びに横架部３３ｃ，３３ｄは、相対的に垂下部３３ｆ，３３ｆよりも上方（フック部１０に近い方向）に位置している。横杆３３において横架部３３ａ，３３ｂ，３３ｃ，３３ｄを除く部分の横断面形状（横杆３３の長手方向と直交する平面における断面形状）は、倒立Ｔ字状をなしている。横架部３３ａ，３３ｂ，３３ｃ，３３ｄの横断面形状（横架部３３ａ，３３ｂ，３３ｃ，３３ｄの長手方向と直交する平面における断面形状）はそれぞれ横長の長方形状をしている。
【００４９】
受け杆３４も肩部３１，３２及び横杆３３と同様、弾性変形可能な材料で形成され、横杆３３の下方に横杆３３と並列状に配置されている。受け杆３４の右側の基端部３４ｂは、一方の肩部３２の下部３２ａに一体化されている。受け杆３４の左側の先端部３４ａは、ハンガー３００を構成する他の部分と繋がることなく、開放状態をなしている。
【００５０】
受け杆３４は弾性変形可能な材料で形成され、基端部３４ｂを支点（中心）にして、受け杆３４全体が横杆３３に対して接近離隔可能である。また、肩部３１の下部３１ａと受け杆３４の先端部３４ａとを着脱可能に連結する連結手段３７が設けられている。受け杆３４の横断面形状（受け杆３４の長手方向と直交する平面における断面形状）は頂上部分（上面３４ｇの断面部分）が半円形状のＩ字形状をなしている。受け杆３４の中央部分の下面側には、下方に向かって膨出した所定長さの補強部３４ｈが受け杆３４と一体的に形成されている。
【００５１】
ハンガー３００においては、肩部３１，３２の曲げ弾性率が、横杆３３の曲げ弾性率及び受け杆３４の曲げ弾性率より小である。なお、肩部３１，３２、横杆３３並びに受け杆３４の曲げ弾性率とは、ハンガー３００にズボンや衣服を掛けることにより、肩部３１，３２、横杆３３並びに受け杆３４に重力方向の外力が加わり、肩部３１，３２、横杆３３並びに受け杆３４が重力方向に弾性変形するときの弾性率をいう。
【００５２】
前述したように、ハンガー３００においては、肩部３１，３２の曲げ弾性率が、横杆３３の曲げ弾性率及び受け杆３４の曲げ弾性率より小であるため、肩部３１，３２、横杆３３並びに受け杆３４に重力方向の外力が加わると、受け杆３４及び横杆３３よりも優先的に肩部３１，３２が下方へ撓むように弾性変形する。
【００５３】
また、図１３に示すように、横杆３３の中央部分及び垂下部３３ｆ，３３ｆを含む領域には、ハンガー３００の正面側及び背面側へそれぞれ突出した拡幅部３３ｅが設けられている。拡幅部３３ｅの下面は横杆３３の下面及び横架部３３ｂ，３３ｄの下面と同一面をなしている。横架部３３ｂ，３３ｄの幅は拡幅部３３ｅの幅と同等であり、横架部３３ａ，３３ｃの幅は、横架部３３ｂ，３３ｄの幅より小である。なお、前記「幅」とは、横杆３３の長手方向を、ハンガー３００の前後方向（正面背面方向）に横断する方向における寸法をいう。
【００５４】
受け杆３４の上面側の複数個所（先端部３４ａと基端部３４ｂの２ヶ所）に、それぞれ、受け杆３４の下面側向かって斜めに凹んだＵ字状の切欠き部３４ｃ，３４ｄが設けられている。受け杆３４の左側の切欠き部３４ｃは枠状部３６（図１５参照）より基端部３４ｂ寄りの部分に設けられている。受け杆３４の右側の切欠き部３４ｄは、正面視形状がＪ字状をなす基端部３４ｂに設けられている。切欠き部３４ｃ，３４ｄは、それぞれ深まるにつれて（受け杆３４の上面から下面に向かうにつれて）互いに接近する方向に傾斜するように形成されている。
【００５５】
図１３，図１７，図１９に示すように、連結手段３７は、受け杆３４の先端部３４ａに設けられた枠状部３６と、横杆３３の横架部３３ｂと一体化した肩部３１の下部３１ａから垂下状に形成された凸状部３５と、を有している。枠状部３６は上下方向（重力方向）に貫通した開口部３６ｅを有し、凸状部３５は開口部３６ｅ内に嵌入離脱可能である。凸状部３５の下端側には、ハンガー３００の中央方向（肩部３２の下部３２ａ方向）（図１３参照）に向かって突出したテーパ部３５ａ及び鉤状部３５ｂが設けられている。
【００５６】
図１７，図１９に示すように、枠状部３６は平面視形状が四角形をなし、枠状部３６の前縁部３６ａは受け杆３４の下面寄りの部分に設けられ、後縁部３６ｂは受け杆３４の上面寄りの部分に設けられている。図１３に示すように、枠状部３６を正面視したとき、後縁部３６ｂは前縁部３６ａより上方に位置している。図１９に示すように、受け杆３４の下面において、枠状部３６の開口部３６ｅの下面に臨む位置には、下方に向かって突出した突起部３６ｆが設けられている。
【００５７】
図１３，図１５，図１７，図１９に示すように、凸状部３５と枠状部３６と、を備えた連結手段３７は、受け杆３４と横杆３３とを接近させ、枠状部３６の開口部３６ｅに凸状部３５を嵌入させることによって互いに連結され、ハンガー３００は図１４，図１６に示すように、横杆３３と受け杆３４とが最接近した状態に保持される。このとき、横杆３３の中央部３３ｇと受け杆３４の上面３４ｇとの間には隙間Ｇ３が形成され、横杆３３の左右の横架部３３ｂ，３３ｄと受け杆３４の上面３４ｇとの間にはそれぞれ隙間Ｇ４，Ｇ４が形成される。なお、横杆３３の垂下部３３ｆ，３３ｆの下面と受け杆３４の上面３４ｇとは、互いの少なくとも一部が当接した状態、若しくは、僅かな隙間をおいて離れた状態を保つようにすることができる。
【００５８】
受け杆３４の先端部３４ａと横杆３３の端部（肩部３１の下部３１ａ）とを連結する場合、受け杆３４の先端部３４ａを横杆３３の端部（肩部３１の下部３１ａ）に近づけ、凸状部３５を受け杆３４の枠状部３６の開口部３６ｅの上面側から下面側に向かって嵌入させると、凸状部３５のテーパ部３５ａが枠状部３６の基端部３４ｂ側の内周部分に沿って摺動していき、鉤状部３５ｂが開口部３６ｅの下面側の突起部３６ｆより下に突出した瞬間、凸状部３５の弾性復元力により、鉤状部３５ｂが枠状部３６の基端部３４ｂ方向に弾発的に突出し、鉤状部３５ｂが突起部３６ｆ（図２０参照）の下面に係合し、枠状部３６の開口部３６ｅ内に凸状部３５が嵌入した状態となる。
【００５９】
前述した操作により、枠状部３６の開口部３６ｅ内に凸状部３５を嵌入させると、図１４，図１６，図１８，図２０に示すように、凸状部３５が開口部３６ｅ内へ嵌り込んでロックされるので、ハンガー３００は図１４に示す状態（閉止状態）に保持される。
【００６０】
一方、図１８，図２０に示すように、凸状部３５のテーパ部３５ａに矢線Ｒ方向の力を加え、凸状部３５の鉤状部３５ｂ（図１５参照）を突起部３６ｆの下面部分から離脱させると、受け杆３４の基端部３４ｂの弾性復元力により、開口部３６ｅから凸状部３５が離脱し、ハンガー３００は、図１３，図１５に示すように、横杆３３の左側の端部（肩部３１の下部３１ａ）から受け杆３４の先端部３４ａが離れた状態（開放状態）となる。なお、連結手段３７については、図１７，図１９に示す凸状部３５と枠状部３６とを上下逆に配設することもできる。即ち、受け杆３４の先端部３４ａに上方に起立する凸状部３５を設け、横杆３３の左側の端部（肩部３１の下部３１ａ）に、凸状部３５が嵌入離脱可能な開口部３６ｅを有する枠状部３６を設けることもできる。
【００６１】
ハンガー３００の使い方並びに機能などについては、図１，図１２に示すハンガー１００，２００と同様である。具体的には、二つ折りにしたズボン（図示せず）の折り曲げ部の内側に受け杆３４の先端部３４ａを差し込み、折り曲げ部全体が基端部３４ｂに近づくように移動させ、折り曲げ部の他方の端部から先端部３４ａを露出させると、ズボンは受け杆３４に掛けられた状態となる。
【００６２】
この後、受け杆３４の先端部３４ａと、横杆３３の端部（肩部３１の下部３１ａ）と、を連結手段３７で連結すると、ズボンの折り曲げ部が横杆３３と受け杆３４との間に挟持される。このとき、下方に撓んだ形状の垂下部３３ｆ，３３ｆ及び拡幅部３３ｅを有する横杆３３の弾性復元力により、ズボンの折り曲げ部は受け杆３４に向かって押圧された状態で挟持されるので、ズボンが横ずれしたり、滑り落ちたりし難くなり、ズボンを安定保持することができる。
【００６３】
また、図１４に示すように、ハンガー３００のフック部１０を所定の支持体１に引っ掛けることにより、ズボン（図示せず）を掛けたハンガー３００を支持体１に吊り下げると、ズボンの重量により、受け杆３４、横杆３３及び肩部３１，３２の下部３１ａ，３２ａに重力方向の外力が加わるが、肩部３１，３２の曲げ弾性率が、横杆３３の曲げ弾性率及び受け杆３４の曲げ弾性率より小であるため、受け杆３４及び横杆３３よりも優先的に肩部３１，３２が下方へ撓むように弾性変形する。
【００６４】
即ち、ズボンを掛けたハンガー３００を支持体１に吊り下げたとき、横杆３３と受け杆３４とは、互いの位置関係が変化することなく、ズボンの折り曲げ部を挟持した状態を保ちながら下方へ移動するので、ズボンを安定保持することができる。
【００６５】
従って、ハンガー３００にズボンを掛けた状態で振動を受けたり、あるいは、長期間に亘ってズボンを掛け続けたりしても、ズボンの横ずれや滑り落ちが生じ難い。また、連結手段３７を構成する枠状部３６と凸状部３５とを係合、離脱するだけで、受け杆３４の先端部３４ａを閉じたり、開いたりすることができるので、ズボンやあるいはマフラーなどの長尺の衣料品の掛け外しが容易である。
【００６６】
また、図１３，図１４に示すように、受け杆３４の先端部３４ａ付近及び基端部３４ｂ付近には、それぞれ切欠き部３４ｃ，３４ｄが設けられているので、スカートなどの女性用衣類の内側に設けられた紐を左右の切欠き部３４ｃ，３４ｄに掛けてスカートなどを受け杆３４に吊り下げ保持することもできる。
【００６７】
次に、図１４，図１６に基づいて説明したように、ハンガー３００の受け杆３４を閉止状態にすると、横杆３３の中央部３３ｇと受け杆３４の上面３４ｇとの間には隙間Ｇ３が形成され、横杆３３の左右の横架部３３ｂ，３３ｄと受け杆３４の上面３４ｇとの間にはそれぞれ隙間Ｇ４，Ｇ４が形成される。従って、図２１に示すように、ハンガー３００にフォーマルなデザインのズボンＴ１を掛けたときも安定保持することができる。
【００６８】
具体的には、スーツのズボンのようなフォーマルなデザインのズボンＴ１は、二つ折りにして受け杆３４に掛けたときに縫い目Ｓ１が受け杆３４の中央付近に位置するので、折り曲げ部Ｕ３の中央付近には、縫い目Ｓ１同士が重なり合うことにより、横杆３３に向かって盛り上がった膨出部Ｕ４が形成されるが、膨出部Ｕ４が位置する部分には膨出部Ｕ４を収容可能な隙間Ｇ３が存在するので、膨出部Ｕ４により、横杆３３の垂下部３３ｆ，３３ｆと受け杆３４との密着状態が阻害されない。
【００６９】
即ち、ズボンＴ１の縫い目Ｓ１の重なり合いに起因する膨出部Ｕ４が受け杆３４の中央付近に位置していても、膨出部Ｕ４による影響を受けることなく、左右の垂下部３３ｆ，３３ｆがズボンＴ１の折り曲げ部Ｕ３に密着して受け杆３４に向かって押圧可能であるため、フォーマルなデザインのズボンＴ１を安定保持することができる。
【００７０】
一方、図２２に示すように、デニム生地のジーンズ（Ｇパン）のようなカジュアルなデザインのズボンＴ２は、二つ折りにして受け杆３４に掛けたときに縫い目Ｓ２，Ｓ３が受け杆３４の左右両側に位置するので、折り曲げ部Ｕ５の左右両側には、縫い目Ｓ２同士（縫い目Ｓ３同士）が重なり合うことにより、横杆３３に向かって盛り上がった膨出部Ｕ６，Ｕ７が形成されるが、膨出部Ｕ６，Ｕ７が位置する部分にはそれぞれ膨出部Ｕ６，Ｕ７を収容可能な隙間Ｇ４，Ｇ４が存在するので、膨出部Ｕ６，Ｕ７により、横杆３３の垂下部３３ｆ，３３ｆと受け杆３４との密着状態が阻害されない。
【００７１】
即ち、ズボンＴ２の縫い目Ｓ２，Ｓ３の重なり合いに起因する膨出部Ｕ６，Ｕ７が受け杆３４の左右両側に位置していても、膨出部Ｕ６，Ｕ７による影響を受けることなく、左右の垂下部３３ｆ，３３ｆがそれぞれズボンＴ２の折り曲げ部Ｕ５に密着して受け杆３４に向かって押圧可能であるので、カジュアルなデザインのズボンＴ２を安定保持することができる。
【００７２】
なお、図１〜図２２に基づいて説明したハンガー１００，２００，３００は、本発明に係るハンガーを例示するものであり、本発明に係るハンガーは前述したハンガー１００，２００，３００に限定されない。
【産業上の利用可能性】
【００７３】
本発明に係るハンガーは、上着やズボンなどの衣料を掛けるための器具として、クリーニング業界、衣服流通業界あるいは衣類販売業などの産業分野において広く利用することができる。
【符号の説明】
【００７４】
１  支持体
１０  フック部
１０ａ  鉤状部
１０ｂ，１１ａ，１２ａ，３１ａ，３２ａ  下部
１０ｚ，１１ｚ，１２ｚ  連接部
１１，１２，３１，３２  肩部
１１ｘ，１１ｙ，１２ｘ，１２ｙ，３１ｘ，３１ｙ，３２ｘ，３２ｙ，３３ａ，３３ｂ，３３ｃ，３３ｄ  横架部
１３，２３，３３  横杆
１３ａ，１３ｂ  端部
１３ｃ，３３ｆ  垂下部
１３ｄ  下面
１３ｅ，３３ｅ  拡幅部
１４，３４  受け杆
１４ａ，３４ａ  先端部
１４ｂ，３４ｂ  基端部
１４ｃ，１４ｄ，３４ｃ，３４ｄ  切欠き部
１４ｅ，３６ｅ  開口部
１４ｆ  上縁部
１４ｇ，３４ｇ  上面
１５，３６  枠状部
１５ａ，１５ｂ  側縁部
１５ｃ，１６ｂ  下縁部
１５ｄ  凹状部
１５ｅ  背面
１６，３５  凸状部
１６ａ  正面
１６ｃ  突起部
１７，３７  連結手段
３０  リブ
３３ｇ  中央部
３４ｈ  補強部
３５ａ  テーパ部
３５ｂ  鉤状部
３６ａ  前縁部
３６ｂ  後縁部
３６ｆ  突起部
１００，２００，３００  ハンガー
Ｇ１，Ｇ２，Ｇ３，Ｇ４  隙間
Ｓ１，Ｓ２，Ｓ３  縫い目
Ｔ，Ｔ１，Ｔ２  ズボン
Ｕ，Ｕ３，Ｕ５  折り曲げ部
Ｕ１，Ｕ２  端部
Ｕ４，Ｕ５，Ｕ６  膨出部
Ｖ  紐
【図１】
2019000623.tif 000003
【図２】
2019000623.tif 000004
【図３】
2019000623.tif 000005
【図４】
2019000623.tif 000006
【図５】
2019000623.tif 000007
【図６】
2019000623.tif 000008
【図７】
2019000623.tif 000009
【図８】
2019000623.tif 000010
【図９】
2019000623.tif 000011
【図１０】
2019000623.tif 000012
【図１１】
2019000623.tif 000013
【図１２】
2019000623.tif 000014
【図１３】
2019000623.tif 000015
【図１４】
2019000623.tif 000016
【図１５】
2019000623.tif 000017
【図１６】
2019000623.tif 000018
【図１７】
2019000623.tif 000019
【図１８】
2019000623.tif 000020
【図１９】
2019000623.tif 000021
【図２０】
2019000623.tif 000022
【図２１】
2019000623.tif 000023
【図２２】
2019000623.tif 000024